(57)【要約】［課題］  従来の折り刃式のカッターナイフはカッターナイフ本体後方にある折り刃用のクリップを使用してカッターナイフの刃先を折ったり、ペンチなどで刃先を折っていたため、刃を折った都度捨てる手間がかかった。時には折った刃先が、どこに飛んだのか分からない事もあり、大変危険であった。本発明は、クリップやペンチを使わず至極簡単に刃先を折ると同時に、折られた使用済みの刃先をまとめて収容し、一括して廃棄することが出来る。［解決手段］（イ）  上下にレール（４）を設け、爪止めスライド孔（７）を設けた本体（１）の前方にジョイント部（６）を設ける。（ロ）  前方に口（５）を設けて後方に通過した空室（Ｇ）を設けた本体（１ａ）の前方にジョイント部（６）を設ける。（ハ）  カッターナイフ（９）を設けた鞘（２）が、本体（１）のレール（４）に設ける。（ニ）  本体（１ａ）に設けた空室（Ｇ）の内側に、かえり（Ｂ）を設けた板バネ（３）を設ける。【選択図】        図１
2004298602.tif 000002
【特許請求の範囲】
【請求項１】
（イ）  上下にレール（４）を設け、爪止めスライド孔（７）を設けた本体（１）の前方にジョイント部（６）を設ける。
（ロ）  前方に口（５）を設けて後方に通過した空室（Ｇ）を設けた本体（１ａ）の前方にジョイント部（６）を設ける。
（ハ）  カッターナイフ（９）を設けた鞘（２）が、本体（１）のレール（４）に設ける。
（ニ）  本体（１ａ）に設けた空室（Ｇ）の内側に、かえり（Ｂ）を設けた板バネ（３）を設ける。
以上の如く構成した簡便折り刃式カッターナイフ
【発明の詳細な説明】
【０００１】
［発明の属する技術分野］
この発明はカッターナイフ（９）を設けた鞘（２）が、本体（１）のレール（４）に設けられた本体（１）のジョイント部（６）と、空室（Ｇ）を設けた本体（１ａ）のジョイント部（６）が支点留め具（８）で連結したことを特徴とする簡便折り刃式カッターナイフである。
【０００２】
［従来の技術］
従来、折り刃式のカッターナイフの刃先を折る時は、カッターナイフ本体後方に取り付けられている折り刃用のクリップを取り外してカッターナイフの刃先を折っていた。  また、ペンチを使用してカッターナイフの刃先を折っていた。
【０００３】
［発明が解決しょうとする課題］
従来、折り刃式のカッターナイフの刃先が摩耗したら、刃先を折って刃先を新しくして使用していた。  また、従来のものは、切ることのみ重点を置き、刃先の折る事には余り工夫が為されていなかった。  また、刃先を折る時にはカッターナイフの後方に取り付けられた折り刃用のクリップを使用してカッターナイフの刃先を折ったり、ペンチで刃先を折っていた、いずれにしても折った刃先の処理は、刃先を折った都度捨てる手間がかかった。  時には折った刃先が、どこに飛んだのか分からない事もあり、そのまま放置される事もあって危険であった。
【０００４】
［課題を解決するための手段］
（イ）  上下にレール（４）を設け、爪止めスライド孔（７）を設けた本体（１）の前方にジョイント部（６）を設ける。
（ロ）  前方に口（５）を設けて後方に通過した空室（Ｇ）を設けた本体（１ａ）の前方にジョイント部（６）を設ける。
（ハ）  カッターナイフ（９）を設けた鞘（２）が、本体（１）のレール（４）に設ける。
（ニ）  本体（１ａ）に設けた空室（Ｇ）の内側に、かえり（Ｂ）を設けた板バネ（３）を設ける。
【０００５】
［発明の実施の形態］
この発明はカッターナイフ（９）を設けた鞘（２）が、本体（１）のレール（４）に設けられた本体（１）のジョイント部（６）と、空室（Ｇ）を設けた本体（１ａ）のジョイント部（６）が支点留め具（８）で連結したことを特徴とし、図４に示すような状態で使用し、カッターナイフ（９）の刃先（１２）を折る時は、図３に示すように、親指で合体部（１１）を外して、本体（１ａ）を（ウ）方向に少し開き、スライドダイヤル（Ｈ）を後方（イ）にスライドして、刃先（１２）を鞘（２）に納め、図５のように、鞘（２）も本体（１）のレール（４）をスライドして本体（１）の後方（イ）に移動させる。  そして、空室（Ｇ）を設けた本体（１ａ）を図６に示すように（ウ）方向に開く。  その時、図７、図１１に示すように鞘（２）の先端部（Ｋ）が口（５）の突出部（Ｌ）に合致する。    そして、スライドダイヤル（Ｈ）を前方（ア）にスライドさせると、図１２のように刃先（１２）が本体（１ａ）の空室（Ｇ）に入ってゆき、板バネ（３）の、かえり（Ｂ）に接触して図８、図９、図１３に示すように刃先（１２）が板バネ（３）のかえり（Ｂ）を図１３の円内拡大図のように押し曲げながら本体（１ａ）の内側の一端に設けた空室（Ｇ）内にある刃先止め（Ｄ）でぴったり刃先（１２）が止まる。    そして、図８に示すように、カッターナイフ（９）を設けた本体（１）側をしっかり握って、空室（Ｇ）を設けた本体（１ａ）側を（エ）方向に閉じるように少し曲げると、図１０、図１４に示すように、支点留め具（８）であるリベットが支点となり、梃の原理により、カッターナイフ（９）の刃先（１２）が本体（１ａ）に設けた口（５）から刃先止め（Ｄ）までの間（キ）で簡単に折れると、図１４及び円内拡大図のように、板バネ（３）の張力により、板バネ（３）のかえり（Ｂ）が空室（Ｇ）の口（５）を塞ぎ、空室（Ｇ）内に納められた折れた刃先（１２ｂ）が外に出ないようにすることが出来る。
【０００６】
［実施例］
以下、本発明の実施例について説明する。
（イ）  上下にレール（４）を設け、前後に開孔した爪止めスライド孔（７）を設けた本体（１）の前方に支点穴（１０）を設けたジョイント部（６）を設ける。
（ロ）  前方に口（５）を設けて後方に通過した空室（Ｇ）を設け、口（５）寄りの本体（１ａ）の内側の一端に刃先止め（Ｄ）を設けた本体（１ａ）の前方に支点穴（１０）を設けたジョイント部（６）を設け、後方に突起（Ｊ）を設けたＬ字状の合体部（１１）を設ける。なお、図１１の円内拡大図のように、かえり（Ｂ）は常に口（５）を塞いだ状態であるが、刃先（１２）が空室（Ｇ）に入る時、点線図のかえり（Ｂア）のように、刃先（１２）に押し曲げられる。
そして、刃先（１２）が折れると元のかえり（Ｂ）にもどる。
（ハ）  カッターナイフ（９）を設けた鞘（２）が、本体（１）のレール（４）に設ける。
（ニ）  本体（１ａ）に設けた空室（Ｇ）の内側に、かえり（Ｂ）を設け、後方にささえ（Ａ）を設けた板バネ（３）を、さし込み設ける。
（ホ）  本体（１ａ）の後部の排出口（Ｉ）に蓋（Ｃ）を設ける。
（ヘ）  本体（１）と本体（１ａ）に設けたジョイント部（６）の支点穴（１０）に支点留め具（８）であるリベットを通して設け、本体（１）と本体（１ａ）を連結する。
また、図３に示すように、本体（１ａ）を（エ）に閉じると、後部に設けた合体部（１１）の突起（Ｊ）が図３のように、本体（１）側に設けた上下のレール（４）の間にはまり込み、本体（１）と本体（１ａ）が合体する。  合体を外す時は、合体部（１１）を（ウ）方向に親指で押せば、上下のレール（４）の間にはまり込んだ合体部（１１）に設けた突起（Ｊ）が外れ、本体（１）と本体（１ａ）を分離することが出来る。
なお、図２に示すように本体（１）に設けた開孔した爪止めスライド孔（７）に、カッターナイフ（９）を設けた鞘（２）の後部の裏側に設けた爪フック（Ｆ）をはめ込み、爪止めスライド孔（７）の（オ）から（カ）の間隔をスライドすることで、カッターナイフ（９）を設けた鞘（２）が前方（ア）、後方（イ）に移動することが出来る。  図３に示すように、鞘（２）を前方（ア）にスライドさせると、爪フック（Ｆ）が刃止めスライド孔（７）の（オ）に移動し、本体（１ａ）を（エ）に閉じると、本体（１ａ）の内側に設けた押え爪（Ｅ）が図４のように、爪フック（Ｆ）の後ろに位置することで、爪フック（Ｆ）を固定して、鞘（２）が前方に出た状態となり、スライドダイヤル（Ｈ）を前方（ア）にスライドさせ、カッターナイフ（９）の刃先（１２）を露出させて、カッターナイフとして使用が出来る。
そして、使用により、刃先（１２）が摩耗したら、スライドダイヤル（Ｈ）を後方（イ）にスライドして、刃先（１２）を鞘（２）に納め、図３に示すように、親指で合体部（１１）を（ウ）方向に押して外し、本体（１ａ）を（ウ）方向に少し開き、爪フック（Ｆ）から押え爪（Ｅ）を外して、スライドダイヤル（Ｈ）を後方（イ）にスライドして、爪フック（Ｆ）を爪止めスライド孔（７）の（カ）に移動させると、図５のように、鞘（２）も本体（１）のレール（４）をスライドして本体（１）の後方（イ）に移動する。  そして、空室（Ｇ）を設けた本体（１ａ）を図６に示すように（ウ）方向に開く、その時、図７、図１１のように鞘（２）の先端部（Ｋ）が口（５）の突出部（Ｌ）に合致することで図８のように、スライドダイヤル（Ｈ）を前方（ア）にスライドさせると、図１２のように刃先（１２）が本体（１ａ）の空室（Ｇ）に入ってゆき、板バネ（３）の、かえり（Ｂ）に接触して、図８、図９、図１３に示すように刃先（１２）が板バネ（３）のかえり（Ｂ）を図１３の円内拡大図（Ｂ）のように押し曲げながら本体（１ａ）の内側の一端に設けた空室（Ｇ）内に正確に入ってゆき、刃先止め（Ｄ）でぴったり刃先（１２）が止まる。  そして、図８に示すように、カッターナイフ（９）を設けた本体（１）側をしっかり握って、空室（Ｇ）を設けた本体（１ａ）側を（エ）方向に少し曲げると、図１０、図１４に示すように、支点留め具（８）であるリベットが支点となり、梃の原理により、カッターナイフ（９）の刃先（１２）が本体（１ａ）の内側の一端である口（５）から刃先止め（Ｄ）までの間（キ）で簡単に折れると、図１４及び円内拡大図のように、板バネ（３）の張力により、板バネ（３）のかえり（Ｂ）が空室（Ｇ）の口（５）を塞ぎ、空室（Ｇ）内に納められた折れた刃先（１２ｂ）が外に出ないようにすることが出来る。  これで刃先が新しくなる。  そして、本体（１ａ）を（エ）に閉じる、その時、図３、に示すように、スライドダイヤル（Ｈ）を前方（ア）にスライドし、鞘（２）を前方にスライドして、爪フック（Ｆ）を爪止めスライド孔（７）の（オ）に移動させ、本体（１ａ）を（エ）に閉じて、本体（１ａ）の内側に設けた押え爪（Ｅ）が図４に示すように、鞘（２）に設けた爪フック（Ｆ）の後ろに位置して爪フック（Ｆ）を固定して、鞘（２）が前方に出た状態となる。その時、本体（１）と本体（１ａ）が突起（Ｊ）を設けた合体部（１１）により、合体する。    そして、スライドダイヤル（Ｈ）を前方（ア）にスライドして刃先（１２）を露出してカッターナイフとして使用することが出来る。
なお、空室（Ｇ）内に折られて納まっている刃先（１２ｂ）を廃棄する時は、図１０のように、後部の排出口（Ｉ）の蓋（Ｃ）を開けると一度に折られた刃先（１２ｂ）を一括して廃棄することが出来る。
【０００７】
［発明の効果］
摩耗した刃先（１２）を折る時に、本体（１ａ）の空室（Ｇ）内で折るため、折られた刃先（１２ｂ）がどこかへ飛ぶ危険がない。  また、刃先（１２）を、クリップやペンチを使わず至極簡単に折ると同時に、折られた使用済みの刃先（１２ｂ）をまとめて収容し、一括して廃棄することが出来る。
【図面の簡単な説明】
【図１】本発明の一部を切り取った分解斜視図
【図２】本発明の一部を切り取った分解斜視図
【図３】本発明の実施例を示す斜視図
【図４】本発明の実施例を示す斜視図
【図５】本発明の実施例を示す斜視図
【図６】本発明の実施例を示す斜視図
【図７】本発明の実施例を示す部分拡大斜視図
【図８】本発明の実施例を示す斜視図
【図９】本発明の実施例を示す部分拡大斜視図
【図１０】本発明の実施例を示す部分斜視図
【図１１】本発明の実施例を上から見た一部断面図と、円内拡大図
【図１２】本発明の実施例を上から見た一部断面図と、円内拡大図
【図１３】本発明の実施例を上から見た一部断面図と、円内拡大図
【図１４】本発明の実施例を上から見た一部断面図と、円内拡大図
【符号の説明】
１  カッターナイフ（９）側の本体    １ａ  空室（Ｇ）側の本体      ２  鞘
３  板バネ      ４  レール      ５  口      ６  ジョイント部
７  爪止めスライド孔      ８  支点留め具      ９  カッターナイフ
１０  支点穴      １１  合体部      １２  刃先      １２ｂ  折れた刃先
Ａ  ささえ      Ｂ  かえり    Ｂア  押し曲げられた点線図のかえり
Ｃ  蓋      Ｄ  刃先止め      Ｅ  押え爪      Ｆ  爪フック      Ｇ  空室
Ｈ  スライドダイヤル      Ｉ  排出口      Ｊ  突起      Ｋ  先端部
Ｌ  突出部
ア  前方      イ  後方      ウ  開き方向      エ  閉じ方向
オ、カ  爪止めスライド孔（７）のスライド移動の間隔
キ  口（５）から刃先止め（Ｄ）までの間
【図１】
2004298602.tif 000003
【図２】
2004298602.tif 000004
【図３】
2004298602.tif 000005
【図４】
2004298602.tif 000006
【図５】
2004298602.tif 000007
【図６】
2004298602.tif 000008
【図７】
2004298602.tif 000009
【図８】
2004298602.tif 000010
【図９】
2004298602.tif 000011
【図１０】
2004298602.tif 000012
【図１１】
2004298602.tif 000013
【図１２】
2004298602.tif 000014
【図１３】
2004298602.tif 000015
【図１４】
2004298602.tif 000016